(57)【要約】【課題】使用者に対してリラックス効果を十分に付与することができる着脱式リラクゼーション装置の提供【解決手段】着脱式リラクゼーション装置１は、使用者が抱き抱え可能な抱き形状のぬいぐるみＰに対して着脱自在に装着される羽織部２と、この羽織部２に設けられるとともに、使用者に対してリラックス効果を付与するリラックス効果付与手段３とを備えている。これによれば、使用者は、気に入ったデザインのぬいぐるみＰに羽織部２を介してリラックス効果付与手段３を装着することができるので、使用者に対してリラックス効果を十分に付与することができる。【選択図】図１
2015165831.tif 000002
【特許請求の範囲】
【請求項１】
使用者が抱き抱え可能な抱き形状の身の回り品に対して着脱自在に装着される装着手段と、
前記装着手段に設けられるとともに、前記使用者に対してリラックス効果を付与するリラックス効果付与手段とを備えることを特徴とする着脱式リラクゼーション装置。
【請求項２】
請求項１に記載された着脱式リラクゼーション装置において、
前記リラックス効果付与手段は、音および動作の少なくともいずれかを用いて呼吸誘導することによって、前記使用者に対してリラックス効果を付与する呼吸誘導部を備えることを特徴とする着脱式リラクゼーション装置。
【請求項３】
請求項２に記載された着脱式リラクゼーション装置において、
前記呼吸誘導部は、光を用いて呼吸誘導することによって、前記使用者に対してリラックス効果を付与することを特徴とする着脱式リラクゼーション装置。
【請求項４】
請求項３に記載された着脱式リラクゼーション装置において、
前記呼吸誘導部は、光を明滅させることによって、前記使用者に対してリラックス効果を付与することを特徴とする着脱式リラクゼーション装置。
【請求項５】
請求項３に記載された着脱式リラクゼーション装置において、
前記呼吸誘導部は、光を徐々に点灯または徐々に消灯させることによって、前記使用者に対してリラックス効果を付与することを特徴とする着脱式リラクゼーション装置。
【請求項６】
請求項１から請求項５のいずれかに記載された着脱式リラクゼーション装置において、
前記リラックス効果付与手段は、前記使用者に対して温感を付与する温感付与部を備えることを特徴とする着脱式リラクゼーション装置。
【請求項７】
請求項６に記載された着脱式リラクゼーション装置において、
前記温感付与部は、前記使用者の手首および掌の少なくともいずれかに温感を付与する部位に設けられていることを特徴とする着脱式リラクゼーション装置。
【発明の詳細な説明】
【技術分野】
【０００１】
本発明は、着脱式リラクゼーション装置に関する。
【背景技術】
【０００２】
従来、ぬいぐるみ等のような使用者が抱き抱え可能な抱き形状の対象物に、リラックス効果を使用者に対して付与する装置を内蔵したリラクゼーション装置が知られている。
例えば、特許文献１に記載された呼吸誘導体は、ぬいぐるみ形態の本体と、この本体に内蔵されるとともに、本体における使用者との接触部位を膨張または収縮させる膨縮機構部とを備えている。そして、この呼吸誘導体は、膨縮機構部を駆動制御して使用者のストレス状態の呼吸をリラックス状態の呼吸に誘導することによって、使用者に対してリラックス効果を付与している。
【先行技術文献】
【特許文献】
【０００３】
【特許文献１】特開２０１３−０２２３０２号公報
【発明の概要】
【発明が解決しようとする課題】
【０００４】
しかしながら、特許文献１に記載された呼吸誘導体は、本体に膨縮機構部を内蔵しているので、本体のデザインを使用者が気に入らないような場合には、使用者に対してリラックス効果を十分に付与できないという問題がある。
【０００５】
本発明の目的は、使用者に対してリラックス効果を十分に付与することができる着脱式リラクゼーション装置を提供することである。
【課題を解決するための手段】
【０００６】
本発明の着脱式リラクゼーション装置は、使用者が抱き抱え可能な抱き形状の身の回り品に対して着脱自在に装着される装着手段と、装着手段に設けられるとともに、使用者に対してリラックス効果を付与するリラックス効果付与手段とを備えることを特徴とする。
【０００７】
このような構成によれば、着脱式リラクゼーション装置は、抱き形状の身の回り品に対して着脱自在に装着される装着手段と、装着手段に設けられたリラックス効果付与手段とを備えているので、使用者は、気に入ったデザインの身の回り品に装着手段を介してリラックス効果付与手段を装着することができる。したがって、本発明の着脱式リラクゼーション装置は、使用者に対してリラックス効果を十分に付与することができる。
【０００８】
なお、抱き形状の身の回り品とは、例えば、ぬいぐるみや、枕などのように使用者が抱き抱え可能な日用品を言うものとする。また、リラックス効果付与手段は、使用者に対してリラックス効果を付与することができれば、どのようなものであってもよく、例えば、特許文献１に記載された呼吸誘導を行うものであってもよく、香りを出すものであってもよく、会話をするものであってもよい。
【０００９】
本発明では、リラックス効果付与手段は、音および動作の少なくともいずれかを用いて呼吸誘導することによって、使用者に対してリラックス効果を付与する呼吸誘導部を備えることが好ましい。
【００１０】
このような構成によれば、リラックス効果付与手段は、呼吸誘導部を備えているので、呼吸誘導することによって、使用者に対してリラックス効果を付与することができる。
【００１１】
本発明では、呼吸誘導部は、光を用いて呼吸誘導することによって、使用者に対してリラックス効果を付与することが好ましい。
【００１２】
ここで、視覚に基づく情報量は、聴覚や触覚などの人間の他の感覚に基づく情報量と比較して大きいので、光を用いた呼吸誘導は、音や動作を用いた呼吸誘導と比較して効果的であると考えられる。
したがって、本発明によれば、呼吸誘導部は、光を用いて呼吸誘導するので、使用者に対して効果的にリラックス効果を付与することができる。
【００１３】
本発明では、呼吸誘導部は、光を明滅させることによって、使用者に対してリラックス効果を付与することが好ましい。
【００１４】
このような構成によれば、呼吸誘導部は、光を明滅させることによって、使用者に対して明確に呼吸誘導をすることができるので、使用者に対して効果的にリラックス効果を付与することができる。
【００１５】
本発明では、呼吸誘導部は、光を徐々に点灯または徐々に消灯させることによって、使用者に対してリラックス効果を付与することが好ましい。
【００１６】
このような構成によれば、呼吸誘導部は、光を徐々に点灯または徐々に消灯させることによって、使用者に対して温かみのある呼吸誘導をすることができるので、使用者に対して効果的にリラックス効果を付与することができる。
【００１７】
本発明では、リラックス効果付与手段は、使用者に対して温感を付与する温感付与部を備えることが好ましい。
【００１８】
ここで、人間は、ストレスなどを受けると体温が下がり、身体に様々な支障をきたすことが知られている。
本発明によれば、リラックス効果付与手段は、使用者に対して温感を付与する温感付与部を備えているので、使用者の身体を温めることによって、使用者に対してリラックス効果を付与することができる。
【００１９】
本発明では、温感付与部は、使用者の手首および掌の少なくともいずれかに温感を付与する部位に設けられていることが好ましい。
【００２０】
このような構成によれば、手首は、動脈が近くにあるので身体が温まりやすく、掌は、神経が集まっていて温かみを感じやすいので、温感付与部は、使用者の身体を効果的に温めることができ、使用者に対してリラックス効果を付与することができる。
【図面の簡単な説明】
【００２１】
【図１】本発明の第１実施形態に係る着脱式リラクゼーション装置の正面図
【図２】着脱式リラクゼーション装置の背面図
【図３】リラックス効果付与手段を示す図
【図４】リラックス効果付与手段を取り外した状態の羽織部を示す図
【図５】ぬいぐるみから取り外した状態の羽織部を表側から見た図
【図６】ぬいぐるみから取り外した状態の羽織部を裏側から見た図
【図７】リラックス効果付与手段の機能ブロック図
【図８】本発明の第２実施形態に係るリラックス効果付与手段の機能ブロック図
【発明を実施するための形態】
【００２２】
〔第１実施形態〕
以下、本発明の第１実施形態を図面に基づいて説明する。
図１は、本発明の第１実施形態に係る着脱式リラクゼーション装置の正面図である。図２は、着脱式リラクゼーション装置の背面図である。
着脱式リラクゼーション装置１は、図１および図２に示すように、使用者が抱き抱え可能な抱き形状の身の回り品としてのぬいぐるみＰに対して着脱自在に装着される装着手段としての羽織部２と、この羽織部２に設けられるとともに、使用者に対してリラックス効果を付与するリラックス効果付与手段３とを備えている。
なお、羽織部２は、ぬいぐるみＰの手触りに近い手触りとなるように素材としてフリース生地を採用している。
【００２３】
図３は、リラックス効果付与手段を示す図である。
リラックス効果付与手段３は、図２および図３に示すように、羽織部２の背面側に取り付けられるランドセル部３１と、ランドセル部３１にケーブルＣを介して接続されたバイブレータ３２およびリボン部３３とを備えている。
ランドセル部３１は、上面に設けられた開閉自在のファスナー３１Ａと、羽織部２の背面に当接する面に設けられた帯状部３１Ｂとを有し、略直方体状に形成された布製の部品である。この帯状部３１Ｂは、帯状に形成された部材であり、その中央の部位をランドセル部３１に縫い付けられるともに、その両端に取り付けられた面ファスナー３１Ｂ１，３１Ｂ２を備えている。
【００２４】
リボン部３３は、蝶々結び状に形成された布製の部品である。このリボン部３３は、結び目に取り付けられた輪ゴム３３Ａを介して、ぬいぐるみＰの頭部に取り付けられている。
また、リボン部３３は、結び目の両側のそれぞれの部位に内蔵された２つのＬＥＤ（Light Emitting Diode）３３Ｂを備えている。なお、使用者は、これらのＬＥＤ３３Ｂの光をリボン部３３の外側から視認することができる。
【００２５】
図４は、リラックス効果付与手段を取り外した状態の羽織部を示す図である。
羽織部２は、図４に示すように、背面に設けられたランドセル取付部２１を有している。このランドセル取付部２１は、帯状に形成された部材の両端の２箇所を上下方向に沿って羽織部２の背面に縫い付けて環状とし、これを左右に配設することによって構成されている。そして、ランドセル部３１は、このランドセル取付部２１に帯状部３１Ｂを通し、面ファスナー３１Ｂ１，３１Ｂ２を貼り合わせることによって、羽織部２に取り付けることができる。
【００２６】
図５は、ぬいぐるみから取り外した状態の羽織部を表側から見た図である。図６は、ぬいぐるみから取り外した状態の羽織部を裏側から見た図である。
羽織部２は、前述したランドセル取付部２１の他、図５および図６に示すように、ぬいぐるみＰの腕を通すために形成された丸穴２２と、ぬいぐるみＰの尻尾を通すために形成された丸穴２３と、ぬいぐるみＰに羽織部２を取り付けるための面ファスナー２４とを備えている。羽織部２は、ぬいぐるみＰの腕および尻尾を丸穴２２，２３にそれぞれ通し、ぬいぐるみＰに巻きつけた状態で面ファスナー２４を貼り合わせることによって、ぬいぐるみＰに装着することができる。
【００２７】
また、羽織部２は、図６に示すように、丸穴２２側に開口した３つのポケット２５Ａ，２５Ｂ，２５Ｃを備えている。これらの３つのポケット２５Ａ〜２５Ｃのうち、中央のポケット２５Ｂは、前述したバイブレータ３２を収納している。また、両側のポケット２５Ａ，２５Ｃのそれぞれは、カイロ３４を収納している。
ここで、カイロ３４は、ぬいぐるみＰの腋下部に対応するポケット２５Ａ，２５Ｃに収納されている。換言すれば、カイロ３４は、ぬいぐるみＰを使用者が抱き抱えたときに使用者の手首に接触するポケット２５Ａ，２５Ｃに収納されている。したがって、カイロ３４は、使用者に対して温感を付与する温感付与部として機能し、使用者の手首に温感を付与する着脱式リラクゼーション装置１の部位に設けられている。
【００２８】
図７は、リラックス効果付与手段の機能ブロック図である。
リラックス効果付与手段３は、前述したランドセル部３１、バイブレータ３２、リボン部３３、およびカイロ３４の他、図７に示すように、ランドセル部３１の内部に収納された制御装置３５を備えている。
制御装置３５は、ＣＰＵ（Central Processing Unit）や、メモリなどによって構成され、このメモリに記憶された所定のプログラムに従って情報処理を実行する。この制御装置３５は、バイブレータ３２の振動を制御する振動制御部３５１と、リボン部３３のＬＥＤ３３Ｂの発光を制御する発光制御部３５２とを備えている。
【００２９】
振動制御部３５１は、一般的な鼓動の周期と同様の周期でバイブレータ３２を振動させて呼吸誘導することによって、使用者に対してリラックス効果を付与する。
発光制御部３５２は、一般的な鼓動の周期と同様の周期でリボン部３３のＬＥＤ３３Ｂを明滅させて呼吸誘導することによって、使用者に対してリラックス効果を付与する。具体的には、発光制御部３５２は、２つのＬＥＤ３３Ｂを交互に明滅させる。
このように、制御装置３５は、動作および光を用いて呼吸誘導することによって、使用者に対してリラックス効果を付与する呼吸誘導部として機能する。
【００３０】
このような本実施形態によれば、以下の作用・効果を奏することができる。
（１）着脱式リラクゼーション装置１は、抱き形状のぬいぐるみＰに対して着脱自在に装着される羽織部２と、羽織部２に設けられたリラックス効果付与手段３とを備えているので、使用者は、気に入ったデザインのぬいぐるみＰに羽織部２を介してリラックス効果付与手段３を装着することができる。したがって、本実施形態の着脱式リラクゼーション装置１は、使用者に対してリラックス効果を十分に付与することができる。
【００３１】
（２）リラックス効果付与手段３は、動作および光を用いて呼吸誘導することによって、使用者に対してリラックス効果を付与する制御装置３５を備えているので、呼吸誘導することによって、使用者に対してリラックス効果を付与することができる。
（３）制御装置３５は、光を用いて呼吸誘導するので、使用者に対して効果的にリラックス効果を付与することができる。
（４）制御装置３５は、光を明滅させることによって、使用者に対して明確に呼吸誘導をすることができるので、使用者に対して効果的にリラックス効果を付与することができる。
【００３２】
（５）リラックス効果付与手段３は、使用者に対して温感を付与するカイロ３４を備えているので、使用者の身体を温めることによって、使用者に対してリラックス効果を付与することができる。
（６）ぬいぐるみＰを使用者が抱き抱えたときに使用者の手首に接触するポケット２５Ａ，２５Ｃに収納されているので、カイロ３４は、使用者の身体を効果的に温めることができ、使用者に対してリラックス効果を付与することができる。
【００３３】
〔第２実施形態〕
以下、本発明の第２実施形態を図面に基づいて説明する。
なお、以下の説明では、既に説明した部分については、同一符号を付してその説明を省略する。
【００３４】
図８は、本発明の第２実施形態に係るリラックス効果付与手段の機能ブロック図である。
前記第１実施形態では、制御装置３５は、リボン部３３のＬＥＤ３３Ｂの発光を制御する発光制御部３５２を備え、発光制御部３５２は、一般的な鼓動の周期と同様の周期でリボン部３３のＬＥＤ３３Ｂを明滅させて呼吸誘導することによって、使用者に対してリラックス効果を付与していた。
これに対して、本実施形態では、制御装置３５は、図８に示すように、リボン部３３のＬＥＤ３３Ｂの発光を制御する発光制御部３５２Ａを備え、発光制御部３５２Ａは、一般的な鼓動の周期と同様の周期でリボン部３３のＬＥＤ３３Ｂを徐々に点灯または徐々に消灯させることによって、使用者に対してリラックス効果を付与する点で異なる。
【００３５】
このような本実施形態においても、前記第１実施形態における（１）〜（３），（５），（６）と同様の作用、効果を奏することができる他、以下の作用、効果を奏することができる。
（７）制御装置３５は、光を徐々に点灯または徐々に消灯させることによって、使用者に対して温かみのある呼吸誘導をすることができるので、使用者に対して効果的にリラックス効果を付与することができる。
【００３６】
〔実施形態の変形例〕
なお、本発明は、前記各実施形態に限定されるものではなく、本発明の目的を達成できる範囲での変形、改良等は本発明に含まれるものである。
例えば、前記各実施形態では、ぬいぐるみＰを身の回り品として例示して説明していたが、枕などの他の身の回り品に対して本発明を適用してもよい。要するに、本発明の着脱式リラクゼーション装置は、使用者が抱き抱え可能な日用品に対して適用することができる。
【００３７】
前記各実施形態では、着脱式リラクゼーション装置１は、装着手段としての羽織部２と、リラックス効果付与手段３とを備え、これらは別体として構成されていた。これに対して、装着手段と、リラックス効果付与手段とは、一体として構成されていてもよい。また、装着手段は、羽織部２とは異なる形状であってもよく、例えば、帯のような形状のものであってもよい。要するに、装着手段は、抱き形状の身の回り品に対して着脱自在に装着されるものであればよい。
【００３８】
前記各実施形態では、リラックス効果付与手段３は、動作および光を用いて呼吸誘導することによって、使用者に対してリラックス効果を付与していたが、例えば、音を用いて呼吸誘導することによって、使用者に対してリラックス効果を付与してもよく、香りを出すことや、会話をすることによって、使用者に対してリラックス効果を付与してもよい。要するに、リラックス効果付与手段は、使用者に対してリラックス効果を付与することができればよい。
【００３９】
前記各実施形態では、温感付与部としてカイロ３４を採用しているが、例えば、電気毛布を採用してもよい。要するに、温感付与部は、使用者に対して温感を付与することができればよい。なお、温感付与部として電気毛布を採用した場合には、温感付与部は、その温度を制御することができるので、使用者の体温に応じて温度を変化させるなどの機能を付加してもよい。
前記各実施形態では、カイロ３４は、使用者の手首に温感を付与していたが、使用者の掌に温感を付与してもよく、その他の部位に温感を付与してもよい。
【産業上の利用可能性】
【００４０】
以上のように、本発明は、着脱式リラクゼーション装置に好適に利用できる。
【符号の説明】
【００４１】
１                  着脱式リラクゼーション装置
２                  羽織部（装着手段）
３                  リラックス効果付与手段
２１                ランドセル取付部
２２，２３          丸穴
２４                面ファスナー
２５Ａ〜２５Ｃ      ポケット
３１                ランドセル部
３１Ａ              ファスナー
３１Ｂ              帯状部
３１Ｂ１，３１Ｂ２  面ファスナー
３２                バイブレータ
３３                リボン部
３３Ａ              輪ゴム
３４                カイロ（温感付与部）
３５                制御装置（呼吸誘導部）
３５１              振動制御部
３５２，３５２Ａ    発光制御部
Ｃ                  ケーブル
Ｐ                  ぬいぐるみ（身の回り品）
【図１】
2015165831.tif 000003
【図２】
2015165831.tif 000004
【図３】
2015165831.tif 000005
【図４】
2015165831.tif 000006
【図５】
2015165831.tif 000007
【図６】
2015165831.tif 000008
【図７】
2015165831.tif 000009
【図８】
2015165831.tif 000010